(57)【要約】【課題】例えば、ＮＢＣ物質等の種々の汚染物質で汚染された人体をより容易に除染することができる除染システム、を提供することを課題とする。【解決手段】汚染物質（例えば、ＮＢＣ（ｎｕｃｌｅａｒ、ｂｉｏｌｏｇｉｃａｌ、ｃｈｅｍｉｃａｌ）物質）で汚染された人体を除染する除染システム１であって、酸性のオゾン水またはアルカリ性のオゾン水によって汚染物質で汚染された人体を除染するように構成される除染システム１とするものである。【選択図】図１
2013036823.tif 000002
【特許請求の範囲】
【請求項１】
汚染物質で汚染された人体を除染する除染システムであって、
酸性のオゾン水またはアルカリ性のオゾン水によって前記汚染物質で汚染された人体を除染するように構成される、除染システム。
【請求項２】
アルカリ性の水によって前記汚染物質で汚染された人体の予備除染をおこない、次いで、前記酸性のオゾン水または前記アルカリ性のオゾン水によって前記予備除染がおこなわれた人体を除染するように構成される、請求項１に記載の除染システム。
【請求項３】
汚染物質で汚染された人体を除染する除染システムであって、
オゾン水を酸性にする添加物を前記オゾン水に添加して、当該オゾン水を酸性にする、添加装置を備え、
前記酸性のオゾン水によって前記汚染物質で汚染された人体を除染するように構成される、除染システム。
【請求項４】
汚染物質で汚染された人体を除染する除染システムであって、
原料水を酸性にする添加物を前記原料水に添加して前記原料水を酸性にする添加装置と、前記酸性にされた原料水から酸性のオゾン水を生成するオゾン水生成装置と、を備え、
前記酸性のオゾン水によって前記汚染物質で汚染された人体を除染するように構成される、除染システム。
【請求項５】
汚染物質で汚染された人体を除染する除染システムであって、
オゾン水をアルカリ性にする添加物を前記オゾン水に添加して、当該オゾン水をアルカリ性にする、添加装置を備え、
前記アルカリ性のオゾン水によって前記汚染物質で汚染された人体を除染するように構成される、除染システム。
【請求項６】
汚染物質で汚染された人体を除染する除染システムであって、
原料水をアルカリ性にする添加物を前記原料水に添加して前記原料水をアルカリ性にする添加装置と、前記アルカリ性にされた原料水からアルカリ性のオゾン水を生成するオゾン水生成装置と、を備え、
前記アルカリ性のオゾン水によって前記汚染物質で汚染された人体を除染するように構成される、除染システム。
【発明の詳細な説明】
【技術分野】
【０００１】
本発明は、種々の汚染物質で汚染された人体を除染する除染システムの技術に関する。
【背景技術】
【０００２】
従来、種々の汚染物質で汚染された人体を除染する除染システムに関する技術は公知となっている。前記種々の汚染物質には、例えば、ＮＢＣ（ｎｕｃｌｅａｒ、ｂｉｏｌｏｇｉｃａｌ、ｃｈｅｍｉｃａｌ）物質がある。Ｎ（ｎｕｃｌｅａｒ）物質による汚染には、核兵器や原発事故等による放射能汚染がある。Ｂ（ｂｉｏｌｏｇｉｃａｌ）物質による汚染には、生物兵器による天然痘ウイルスや炭素菌等の汚染がある。Ｃ（ｃｈｅｍｉｃａｌ）物質による汚染には、化学兵器によるサリンやマスタードガス等の汚染がある。
このような除染システムでは、テント内に配置されたシャワーから吐出される水を掛けることによって汚染物質で汚染された人体を除染する（特許文献１参照）。つまり、このような除染システムでは、水の水流によって汚染物質を人体から剥離するように洗い流して除染する。
【先行技術文献】
【特許文献】
【０００３】
【特許文献１】特開２００２−２５０７９３号公報
【発明の概要】
【発明が解決しようとする課題】
【０００４】
しかしながら、特許文献１に示す除染システムでは、汚染物質で汚染された人体を確実に除染するためには、長時間に亙って水を人体に掛け続けることを要し、また、強い水流の水をシャワーから吐出させる必要があった。
【０００５】
本発明は以上の如き状況に鑑みてなされたものであり、汚染物質で汚染された人体をより容易に除染することができる除染システムを提供することを課題とする。
【課題を解決するための手段】
【０００６】
本発明の解決しようとする課題は以上の如くであり、次にこの課題を解決するための手段を説明する。
【０００７】
即ち、請求項１においては、汚染物質で汚染された人体を除染する除染システムであって、酸性のオゾン水またはアルカリ性のオゾン水によって前記汚染物質で汚染された人体を除染するように構成されるものである。
【０００８】
請求項２においては、アルカリ性の水によって前記汚染物質で汚染された人体の予備除染をおこない、次いで、前記酸性のオゾン水または前記アルカリ性のオゾン水によって前記予備除染がおこなわれた人体を除染するように構成されるものである。
【０００９】
請求項３においては、汚染物質で汚染された人体を除染する除染システムであって、オゾン水を酸性にする添加物を前記オゾン水に添加して、当該オゾン水を酸性にする、添加装置を備え、前記酸性のオゾン水によって前記汚染物質で汚染された人体を除染するように構成されるものである。
【００１０】
請求項４においては、汚染物質で汚染された人体を除染する除染システムであって、原料水を酸性にする添加物を前記原料水に添加して前記原料水を酸性にする添加装置と、前記酸性にされた原料水から酸性のオゾン水を生成するオゾン水生成装置と、を備え、前記酸性のオゾン水によって前記汚染物質で汚染された人体を除染するように構成されるものである。
【００１１】
請求項５においては、汚染物質で汚染された人体を除染する除染システムであって、オゾン水をアルカリ性にする添加物を前記オゾン水に添加して、当該オゾン水をアルカリ性にする、添加装置を備え、前記アルカリ性のオゾン水によって前記汚染物質で汚染された人体を除染するように構成されるものである。
【００１２】
請求項６においては、汚染物質で汚染された人体を除染する除染システムであって、原料水をアルカリ性にする添加物を前記原料水に添加して前記原料水をアルカリ性にする添加装置と、前記アルカリ性にされた原料水からアルカリ性のオゾン水を生成するオゾン水生成装置と、を備え、前記アルカリ性のオゾン水によって前記汚染物質で汚染された人体を除染するように構成されるものである。
【発明の効果】
【００１３】
本発明の効果として、以下に示すような効果を奏する。
【００１４】
即ち、本発明によれば、汚染物質で汚染された人体をより容易に除染することができる。
【図面の簡単な説明】
【００１５】
【図１】本発明の実施形態に係る除染システムの全体的な構成を示したブロック図。
【図２】本発明の実施形態に係る除染システムの除染部を示した斜視図。
【図３】本発明の実施形態に係る除染システムの全体的な構成を示したブロック図。
【図４】同じくブロック図。
【図５】同じくブロック図。
【図６】同じくブロック図。
【図７】同じくブロック図。
【図８】本発明の実施形態に係る除染方法を示したフロー図。
【図９】同じくフロー図。
【図１０】本発明の実施形態に係る除染システムの再生部を示したブロック図。
【図１１】本発明の実施形態に係る除染システムの全体的な構成を示したブロック図。
【図１２】除染される人を示した斜視図。
【図１３】同じく斜視図。
【発明を実施するための形態】
【００１６】
次に、発明の実施形態に係る除染システム１を図１から図１３を用いて説明する。
除染システム１は、種々の汚染物質で汚染された人体を除染するものである。前記種々の汚染物質には、ＮＢＣ（ｎｕｃｌｅａｒ、ｂｉｏｌｏｇｉｃａｌ、ｃｈｅｍｉｃａｌ）物質がある。
除染システム１は、図１に示すように、タンク２と、オゾン水生成装置３と、除染部４と、を備える。
【００１７】
除染システム１のタンク２は、原料水（水）が溜められるものである。タンク２に溜められた原料水は、オゾン水生成装置３に供給される。
除染システム１のオゾン水生成装置３は、配管を介してタンク２に接続される。オゾン水生成装置３は、タンク２から供給される原料水からオゾン水を生成するものである。ここで、オゾン水とは、水にオゾン（Ｏ３）が溶解されてなるものである。
オゾン水生成装置３によって生成されたオゾン水は、温度調節装置によって、当該オゾン水を掛けられた人（除染される人）が冷た過ぎるまたは熱すぎる等と感じないような所定の温度に温度調節（例えば、２６度〜４０度に昇温また降温）されて、除染部４に供給される。
【００１８】
除染システム１の除染部４では、汚染物質で汚染された人体の除染がおこなわれる。除染部４は、図１または図２に示すように、テント４１と、シャワー４２と、水受４３と、すのこ４４と、を有する。
【００１９】
除染システム１における除染部４のテント４１は、当該テント４１内で立った状態で、汚染物質で汚染された人体の除染をおこなうことができるように構成される。
除染部４のテント４１は、短時間で設営可能に構成される。除染部４のテント４１は、例えば、エアーを吹込むことにより数分間内にドーム状の立体構造とすることができ、また、エアーを抜くことにより折畳むことができるようなエアーテントで構成される。
【００２０】
除染システム１における除染部４のシャワー４２は、配管を介してオゾン水生成装置３に接続されて、温度調節装置によって温度が調節されたオゾン水を吐出可能に構成される。
除染部４のシャワー４２は、そのテント４１内に配置される。除染部４のシャワー４２は、そのオゾン水の吐出口がテント４１の天井近傍に配置されて、除染対象である汚染物質で汚染された人体に向かって上方からオゾン水を吐出するように構成される。
除染システム１における除染部４の水受４３は、テント４１内に配置される。除染部４の水受４３は、シャワー４２から吐出されたオゾン水を受けて、当該オゾン水（除染に用いたオゾン水）を水受４３の排水孔４３ａから排水するように構成される。
除染システム１における除染部４のすのこ４４は、水受４３の上に配置される。
除染システム１では、汚染物質で汚染された人は、除染部４のテント４１内においてすのこ４４の上に立った状態で、シャワー４２から吐出されるオゾン水が掛けられる。
以上のようにして、除染システム１は、オゾン水を掛けることによって汚染物質で汚染された人体を除染するように構成される。
【００２１】
そして、除染システム１では、人体を汚染する汚染物質がＢ（ｂｉｏｌｏｇｉｃａｌ）物質の場合には、Ｂ物質は、前記掛けられたオゾン水によって殺菌されることとなる。人体を汚染する汚染物質がＣ（ｃｈｅｍｉｃａｌ）物質の場合には、Ｃ物質は、前記掛けられたオゾン水によって分解されることとなる。
このように、Ｂ物質が殺菌され、また、Ｃ物質が分解されるので、除染システム１によれば、水によって除染するものに比べて、Ｂ物質またはＣ物質で汚染された人体を短時間で除染することができ、且つ、強い水流を要さずにＢ物質またはＣ物質で汚染された人体を除染することができる。
したがって、除染システム１によれば、水によって除染するものに比べて、汚染物質（Ｂ物質またＣ物質）で汚染された人体を容易に除染することができる。
【００２２】
また、除染システム１では、人体を汚染する汚染物質がＮ（ｎｕｃｌｅａｒ）物質の場合には、Ｎ物質は、オゾン水におけるコロイドを凝集する作用によって人体から剥離した後に凝集されることとなる。このため、除染システム１では、除染に用いたオゾン水の排水をろ過する際に、目の細かいフィルタを用いることなく、当該凝集されたＮ物質を容易に捕集することができ、当該排水からＮ物質を取除く処理をより容易におこなうことができる。
除染システム１では、人体を汚染する汚染物質が抵抗性の弱いＢ物質の場合には、Ｂ物質は消毒されて無害化されるので、前記排水に含まれるＢ物質の消毒処理が不要となる。人体を汚染する汚染物質が抵抗性の強いＢ物質の場合には、オゾン水が掛けられてから排水されていく過程においてＢ物質の消毒が進行するので、前記排水に含まれるＢ物質のその後の消毒処理を容易におこなうことができる。
除染システム１では、人体を汚染する汚染物質が易分解性のＣ物質の場合は、Ｃ物質は分解されて無害化されるので、前記排水に含まれるＣ物質の分解処理が不要となる。人体を汚染する汚染物質が難分解性のＣ物質の場合には、オゾン水が掛けられてから排水される過程においてＣ物質の分解が進行するので、前記排水に含まれるＣ物質のその後の分解処理を容易におこなうことができる。
したがって、除染システム１によれば、Ｎ物質が凝集され、Ｂ物質が消毒され、また、Ｃ物質が分解されるので、水によって除染するものに比べて、前記排水の処理を容易におこなうことができる。
なお、オゾンは短時間で酸素に戻るため、除染システム１では、前記排水に対するオゾンの中和処理は不要である。
【００２３】
除染システム１は、酸性のオゾン水またはアルカリ性のオゾン水によって汚染物質で汚染された人体を除染するように構成される。
汚染物質で汚染された人体を除染するオゾン水が酸性のオゾン水の場合には、当該オゾン水は自己分解することが抑制されて、そのオゾン濃度が低下することが抑制されることとなる。このため、前記酸性のオゾン水では、オゾン水による汚染物質で汚染された人体を除染する効果が低下することが抑制されることとなる。
また、汚染物質で汚染された人体を除染するオゾン水がアルカリ性のオゾン水の場合には、アルカリ性の洗浄効果によって汚染物質に汚染された人体を除染する効果が向上することとなる。
したがって、除染システム１によれば、汚染物質で汚染された人体をより容易に除染することができる。
【００２４】
酸性のオゾン水によって汚染物質で汚染された人体を除染する除染システム１の構成としては、以下のようなものがある。
【００２５】
除染システム１は、図１に示すように、オゾン水を酸性にする添加物をオゾン水に添加する添加装置８ａを備えて構成される。
除染システム１の添加装置８ａは、オゾン水生成装置３の下流側に配置される。添加装置８ａは、オゾン水生成装置３で生成されたオゾン水にこれを酸性にする添加物を添加して、当該オゾン水を酸性にする。
前記オゾン水を酸性にする添加物としては、例えば、クエン酸、炭酸、塩酸、また、酢酸等がある。
【００２６】
このように、除染システム１の添加装置８ａによって添加物が添加されて酸性にされたオゾン水は自己分解することが抑制されて、そのオゾン濃度が低下することが抑制されることとなる。このため、添加装置８ａによって添加物が添加されて酸性にされたオゾン水では、当該オゾン水による汚染物質で汚染された人体を除染する効果が低下することが抑制されることとなる。
【００２７】
また、除染システム１の添加装置８ａは、図３に示すように、オゾン水生成装置３の上流側であって、タンク２の下流側に配置されてもよい。
このとき、添加装置８ａは、タンク２からオゾン水生成装置３に供給される前の原料水にこれを酸性にする添加物を添加して、当該原料水を酸性にする。そして、オゾン水生成装置３は、前記酸性にされた原料水から酸性のオゾン水を生成する。
【００２８】
このように、除染システム１の添加装置８ａによって添加物が添加されて酸性にされた原料水から生成された酸性のオゾン水は自己分解することが抑制されて、そのオゾン濃度が低下することが抑制されることとなる。このため、添加装置８ａによって添加物が添加されて酸性にされた原料水から生成されたオゾン水では、当該オゾン水による汚染物質で汚染された人体を除染する効果が低下することが抑制されることとなる。
【００２９】
アルカリ性のオゾン水によって汚染物質で汚染された人体を除染する除染システム１の構成としては、以下のようなものがある。
【００３０】
除染システム１は、図４に示すように、オゾン水をアルカリ性にする添加物をオゾン水に添加する添加装置８ｂを備えて構成される。
除染システム１の添加装置８ｂは、オゾン水生成装置３の下流側に配置される。添加装置８ｂは、オゾン水生成装置３で生成されたオゾン水に添加物を添加して、当該オゾン水をアルカリ性にする。
前記オゾン水をアルカリ性にする添加物としては、例えば、重曹、炭酸カルシウム、炭酸ナトリウム、石鹸（界面活性剤）、また、ヨウ化カリウム等がある。
【００３１】
このように、除染システム１の添加装置８ｂによって添加物が添加されてアルカリ性にされたオゾン水では、アルカリ性の洗浄効果によって汚染物質に汚染された人体を除染する効果が向上することとなる。
【００３２】
また、除染システム１の添加装置８ｂは、図５に示すように、オゾン水生成装置３の上流側であって、タンク２の下流側に配置されてもよい。
このとき、添加装置８ｂは、タンク２からオゾン水生成装置３に供給される前の原料水にこれをアルカリ性にする添加物を添加して、当該原料水をアルカリ性にする。そして、オゾン水生成装置３は、前記アルカリ性にされた原料水からアルカリ性のオゾン水を生成する。
【００３３】
このように、除染システム１の添加装置８ｂによって添加物が添加されてアルカリ性にされた原料水から生成されたアルカリ性のオゾン水では、アルカリ性の洗浄効果によって汚染物質に汚染された人体を除染する効果が向上することとなる。
【００３４】
除染システム１の添加装置８ａ・８ｂによって添加される添加物の量は、除染される人体に影響を及ぼさない範囲で任意のｐＨの酸性またはアルカリ性となるように、適宜決定できるものとする。
なお、常温において、オゾン水がｐＨ９の場合には、その自己分解半減期は約２分であり、オゾン水がｐＨ７の場合には、その自己分解半減期が約４０分であり、オゾン水がｐＨ５の場合には、その自己分解半減期が約１２０分である。
【００３５】
除染システム１の除染部４は、まず、アルカリ性の水によって汚染物質で汚染された人体の予備除染をおこない、次いで、前記予備除染がおこなわれた人体（汚染物質で汚染された人体）の除染をオゾン水によっておこなうように構成してもよい。
前記アルカリ性の水によって汚染物質で汚染された人体の予備除染をおこなう構成として、シャワー４２からアルカリ性の水を吐出させて汚染物質で汚染された人にこれを掛けることによっておこなうものがある。また、前記アルカリ性の水によって汚染物質で汚染された人体の予備除染をおこなう構成として、アルカリ性の水が溜められる水槽を設け、当該水槽に溜められたアルカリ性の水に汚染物質で汚染された人が浸かることによっておこなうものがある。
【００３６】
前記アルカリ性の水は、例えば、除染システム１のタンク２から除染部４に配管を介して供給される前の原料水に添加物を添加することによってアルカリ性の水（原料水）とされて、除染部４に供給される。このとき、除染システム１は、図６に示すように、前記原料水への添加物の添加がタンク２の下流側に配置される添加装置８ｃによっておこなわれるように構成される。
前記水をアルカリ性にする添加物としては、例えば、重曹、炭酸カルシウム、炭酸ナトリウム、石鹸（界面活性剤）、また、ヨウ化カリウム等がある。
【００３７】
このように、汚染物質で汚染された人体の予備除染をおこなう水がアルカリ性の水の場合には、アルカリ性の洗浄効果によって汚染物質に汚染された人体を予備除染する効果が向上することとなる。
そして、除染システム１では、アルカリ性の水で予備除染がおこなわれた人体についてオゾン水によって除染がおこなわれるため、汚染物質で汚染された人体をより確実に除染することができる。
【００３８】
さらに、除染システム１の除染部４は、まず、アルカリ性の水によって汚染物質で汚染された人体の予備除染をおこない、次いで、前記予備除染がおこなわれた人体（汚染物質で汚染された人体）の除染を酸性のオゾン水またはアルカリ性のオゾン水によっておこなわれるように構成してもよい。
このとき、除染システム１は、図７に示すように、オゾン水を酸性にする添加物を添加する添加装置８ａまたはアルカリ性にする添加物を添加する添加装置８ｂがオゾン水生成装置３の下流側に配置されて構成される。添加装置８ａ・８ｂは、オゾン水生成装置３で生成されたオゾン水に添加物を添加して、当該オゾン水を酸性またはアルカリ性にする。
このように、除染システム１では、アルカリ性の水で予備除染がおこなわれた人体について、酸性のオゾン水またはアルカリ性のオゾン水によって除染がおこなわれるため、汚染物質で汚染された人体をさらにより確実に除染することができる。
【００３９】
次に、予備除染する工程を備える汚染物質で汚染された人体の除染方法における一連の動作について、図８を用いて説明する。
【００４０】
図８に示すように、アルカリ性の水によって汚染物質で汚染された人体の予備除染をおこなう工程（ステップＳ１）をおこなう。
前記アルカリ性の水によって汚染物質で汚染された人体の予備除染をおこなう工程（ステップＳ１）をおこなった後、ステップＳ２に移行する。
【００４１】
次に、オゾン水によって汚染物質で汚染された人体（アルカリ性の水で予備除染がおこなわれた人体）の除染をおこなう工程（ステップＳ２）をおこなう。
このようにして、汚染物質で汚染された人体の除染をおこなう。
【００４２】
以上のように、汚染物質で汚染された人体の除染方法は、アルカリ性の水によって汚染物質で汚染された人体の予備除染をおこなう工程（ステップＳ１）と、オゾン水によって汚染物質で汚染された人体の除染をおこなう工程（ステップＳ２）と、を備える。
このため、汚染物質で汚染された人体の除染方法では、アルカリ性の水で予備除染がおこなわれた人体についてオゾン水によって除染がおこなわれるため、汚染物質で汚染された人体をより確実に除染することができる。
【００４３】
また、予備除染する工程を備える汚染物質で汚染された人体の除染方法は、図９に示すように、オゾン水によって汚染物質で汚染された人体の除染をおこなう工程（ステップＳ２）に代えて、酸性のオゾン水またはアルカリ性のオゾン水によって汚染物質で汚染された人体の除染をおこなう工程（ステップＳ１２）を備えるものとしてもよい。
このような汚染物質で汚染された人体の除染方法では、アルカリ性の水で予備除染がおこなわれた人体について、酸性のオゾン水またはアルカリ性のオゾン水によって除染がおこなわれるため、汚染物質で汚染された人体をさらにより確実に除染することができる。
【００４４】
除染システム１は、除染部４のテント４１内の気体をテント４１外に排気可能に構成される。除染システム１は、除染部４のテント４１内において下方向の気流が発生するように構成される。
除染部４のテント４１は、図１乃至図７に示すように、その天井部に給気孔４１ａ・４１ａが形成されるとともに、その側面の下部に排気孔４１ｂ・４１ｂが形成されて構成される。除染部４のテント４１の排気孔４１ｂ・４１ｂには、それぞれ排気ファン４７・４７が設けられる。
そして、除染システム１では、排気ファン４７・４７を動作させることによって、テント４１の給気孔４１ａ・４１ａから空気を給気するとともに、前記テント４１内の気体を排気孔４１ｂ・４１ｂからテント４１外に排気する。
このようにして、除染システム１では、排気ファン４７・４７を動作させることによって、テント４１内において下方向の気流を発生させて、前記テント４１内の気体をテント４１外に排気する。
このため、除染システム１では、通常はオゾン水からはオゾンガスが気散しないが、仮に除染部４のテント４１内においてオゾン水からオゾンガスが気散した場合においても、テント４１内の人が当該オゾンガスを吸引する等して影響を受けないうように、テント４１内で下方向の気流を発生させるともに、テント４１内のオゾンガスをテント４１外に排気することができる。
【００４５】
除染システム１における除染部４のテント４１の排気孔４１ｂ・４１ｂ（排気ファン４７・４７）には、それぞれオゾン分解触媒４８・４８が設けられる。除染部４のオゾン分解触媒４８は、前記除染部４のテント４１の排気孔４１ｂから排気されるオゾンガスを酸素に戻すことができるように構成される。
このように構成されることにより、除染システム１では、前記テント４１内のオゾンガスをテント４１外に排気する際に、当該オゾンガスが酸素に戻されることとなる。
また、除染システム１における除染部４のテント４１の給気口と排気口とに、それぞれヘパフィルターを配置してもよい。
【００４６】
除染システム１は、図１乃至図７に示すように、再生部５を備える。
除染システム１の再生部５では、前記排水（除染に用いたオゾン水の排水）が原料水に再生される。再生部５は、図１０に示すように、粗フィルタ５１と、活性炭吸着フィルタ５２と、逆浸透膜浄化装置５３と、汚れセンサ５４と、を有する。
【００４７】
除染システム１における再生部５の粗フィルタ５１は、前記排水から粒径の大きい不純物（ゴミ、および、前記凝集されたＮ物質等）を取除くものである。
再生部５の活性炭吸着フィルタ５２は、粗フィルタ５１の下流側に配置される。再生部５の活性炭吸着フィルタ５２は、前記粗フィルタ５１で取除けなかった粒径の小さい不純物を前記排水から取除くものである。
再生部５の逆浸透膜浄化装置５３は、活性炭吸着フィルタ５２の下流側に配置される。再生部５の逆浸透膜浄化装置５３は、前記活性炭吸着フィルタ５２で不純物が取除かれた排水を、原料水として再利用できるような水質に浄化する。
再生部５の汚れセンサ５４は、前記逆浸透膜浄化装置５３によって浄化された排水の浄化度合（汚れ度合）を検知するものである。
【００４８】
このようにして、除染システム１の再生部５では、再生部５の粗フィルタ５１および活性炭吸着フィルタ５２によって前記排水から不純物が取除かれ、再生部５の逆浸透膜浄化装置５３によって前記不純物が取除かれた排水が浄化され、再生部５の汚れセンサ５４によって前記浄化された排水の浄化度合（汚れ度合）が検知される。
そして、再生部５の汚れセンサ５４によって検知された排水の浄化度合が所定の基準値を満たしている場合には、当該排水は、タンク２に供給されて原料水として再利用される（図１参照）。
【００４９】
以上のようにして、除染システム１では、前記排水が、再生部５において原料水に再生されて、タンク２に供給されて再利用される。
このため、除染システム１では、多量の原料水を確保することを要さずに、汚染物質で汚染された人体の除染を多量におこなうことができる。
したがって、除染システム１によれば、原料水を確保（補給）することが困難な状態でも、汚染物質で汚染された多量の人体の除染をおこなうことができる。
【００５０】
また、除染システム１では、Ｎ物質が凝集され、Ｂ物質が消毒され、また、Ｃ物質が分解されるので、水によって除染するものに比べて、再生部５における前記排水の原料水への再生を容易におこなうことができる。
【００５１】
なお、除染システム１における再生部５の汚れセンサ５４によって検知された排水の浄化度合が所定の基準値を満たしていない場合には、当該排水は、廃水として廃水槽６に供給される。
そして、前記廃水槽６に供給された廃水は、その下流側の廃水処理装置７で廃水処理（凝集されたＮ物質を取除く処理、Ｂ物質の消毒処理、または、Ｃ物質の分解処理）がおこなわれて、廃棄されることとなる。
【００５２】
除染システム１の除染部４は、図１１に示すように、（テント４１、シャワー４２、水受４３、および、すのこ４４等に代えて、）除染室４５を有する構成としてもよい。
除染部４の除染室４５は、配管を介してオゾン水生成装置３に接続されて、温度調節装置によって温度が調節されたオゾン水が除染室４５内に溜められるように構成される。除染部４の除染室４５は、汚染物質で汚染された人が除染室４５内で立った状態で肩までオゾン水に浸ることができるように構成される。
【００５３】
汚染物質で汚染された人に、ゴーグル９と口マスク１０とをそれぞれ装着させた状態で、除染システム１の除染部４で汚染物質の除染をおこなうようにしてもよい（図１２参照）。
また、汚染物質で汚染された人に、顔面を覆うようなガスマスク１１を装着させた状態で、除染システム１の除染部４で汚染物質の除染をおこなうようにしてもよい（図１３参照）。
このようにすることにより、通常はオゾン水からはオゾンガスが気散しないが、仮に除染部４のテント４１内または除染室４５内においてオゾン水からオゾンガスが気散した場合においても、汚染物質で汚染された人がオゾンガスを吸引する等によって影響を受けることなく、汚染物質の除染をおこなうことができる。
【符号の説明】
【００５４】
１    除染システム
２    タンク
３    オゾン水生成装置
４    除染部
５    再生部
８ａ  添加装置
８ｂ  添加装置
８ｃ  添加装置
４１  テント
４２  シャワー
４５  除染室
【図１】
2013036823.tif 000003
【図２】
2013036823.tif 000004
【図３】
2013036823.tif 000005
【図４】
2013036823.tif 000006
【図５】
2013036823.tif 000007
【図６】
2013036823.tif 000008
【図７】
2013036823.tif 000009
【図８】
2013036823.tif 000010
【図９】
2013036823.tif 000011
【図１０】
2013036823.tif 000012
【図１１】
2013036823.tif 000013
【図１２】
2013036823.tif 000014
【図１３】
2013036823.tif 000015